Podtech/llm-jp-corpus-v4-ja_patent huggingface dataset:
(57)【要約】      （修正有）【課題】複雑で高価な装置や特別な設置場所を必要とせず、夜間でも液量を容易に確認することができる液面計を提供する。【解決手段】透明管２に表面が蛍光物質でコーティングされた発光玉４を設ける。この発光玉４がタンク１内の液面変化に応じ透明管２内を上下する。この発光玉４で表示される液面高さを、蛍光塗料で付記された液量表記板３に記載された目盛表記を読み取ることによりタンク１内の液量を容易に確認することができる。【選択図】図１
0003162583.tif 000002
【実用新案登録請求の範囲】
【請求項１】
透明管とその外側に目盛が記載された液量表記板からなる液面計において、液面計の透明管中に表面が蛍光物質、あるいは蓄光物質でコーティングされた発光玉を設けることを特徴とする液面計。
【考案の詳細な説明】
【技術分野】
【０００１】
本考案は、夜間でも液量を容易に確認することができる液面計である。
【背景技術】
【０００２】
従来の液面計は、タンクの外部に設けられた透明管の液面とそれに対応する内容量を示した外側の目盛の値を視認することによりタンク内の内容量を確認するものが知られている。また、タンク内にフロートを仕掛け、そのフロートに光ファイバーを介して光を当て、その反射光を利用することにより直接液面を確認するような装置も知られている。(特許文献１)
【０００３】
【特許文献１】実開昭６０−１２３６３８号公報
【考案の開示】
【考案が解決しようとする課題】
【０００４】
しかしながら、前者の方法では夜間、液面を視認することが困難であり、液面計の近くまで行き、懐中電灯等で照らして視認する事が必要であった。また、後者の場合、検出器、信号処理機、表示器及びそれに伴う配線等の複雑で高価な装置が多数必要でそれを設置する場所や取付け方法も考えなければならなかった。それに加えて電気的信号を利用することから装置及び装置取り付けのコストが更に高くなるため、電気的信号を利用することなく、より簡便でかつ安価な装置の開発が望まれていた。
【課題を解決するための手段】
【０００５】
本考案は上記事情を鑑みてなされたものであり、液面計の透明管中に表面が蛍光物質、あるいは蓄光物質でコーティングされた発光玉を設けることで、特に夜間、遠くからでも液面を容易に視認することが可能な液面計である。
【考案の効果】
【０００６】
上記の手段を用いることによって、複雑で高価な装置や特別な設置場所を必要とせず、夜間でも液量を容易に確認することが可能となる。
【考案を実施するための最良の形態】
【０００７】
本考案の液面計は、タンク１の外部に透明管２及びその外側に目盛が記載された液量表記板３を有している。また、透明管２内部に発光玉４が内蔵されている。
【０００８】
透明管２の材質は内蔵する発光玉４が外部より視認できるものであればどのようなものでもよいが、通常ガラス製、プラスチック製のものが使用される。
【０００９】
目盛が記載された液量表記板３はタンク１内の液面と外部に設けられた透明管２中の液面が連動する事で透明管２中の液面上に浮かぶ発光玉４が上下し、その発光玉４で示される液面高さをタンク１の内容量と一致するように付記された目盛が読み取れる構造となる。また、この目盛の付記の方法はどのような方法でも良いが、例えば塗料を用いて直接付記する、目盛を記載したものを貼り付ける等の方法があるが、蛍光物質を含む塗料類で付記するといった夜間でも容易に目盛を読み取ることが可能な方法が好ましい。
【００１０】
発光玉４はタンク１の内容物より比重の小さい材質、あるいは中空プラスチック様のもので構成され、その表面に蛍光物質あるいは蓄光物質をコーティングしたものである。発光玉４の材質としては、タンク１の内容物より比重の小さい材質であればどのようなものでもよいが、通常、中空のプラスチック玉が使用される。蛍光物質、あるいは蓄光物質の材質としては夜間、蓄光した光を放出したり、あるいは懐中電灯等の光を反射し夜間でも発光玉４の存在が確認できるようなものが好ましい。
【００１１】
以上詳述したように本考案の液面計によれば、夜間でも液量を容易に確認することが可能となる。
【図面の簡単な説明】
【００１２】
【図１】本考案の液面計の具体的一実施例の正面図である。
【図２】本考案の液面計の具体的一実施例のうち、透明管周辺部の拡大図である。
【００１３】
以下、添付図に従って一実施例を説明する。本考案に係る液面計は、例えば図１及び図２に示す通り、透明管２に表面が蛍光物質でコーティングされた発光玉４を設ける。この発光玉４がタンク１内の液面変化に応じ透明管２内を上下する。この発光玉４で表示される液面高さを、蛍光塗料で付記された液量表記板３に記載された目盛表記を読み取ることによりタンク１内の液量を容易に確認することができる。
【符号の説明】
【００１４】
１            ：タンク
２            ：透明管
３            ：液量表記板
４            ：発光玉
【図１】
0003162583.tif 000003
【図２】
0003162583.tif 000004
(57)【要約】      （修正有）【課題】安全用ベルトカバーを取り付けた状態のまま外部よりベルトの駆動状況を確認することが出来るベルト駆動装置を提供する。【解決手段】カバー５にベルト４の動作状況が視認可能な場所である正面、及び側面の２箇所に覗き窓６を設け、覗き窓６より、２本の黒色ベルト４の表面にはベルト幅に沿って長さ５ｃｍの範囲で、また、ベルト側面はベルト厚みに合わせて５ｃｍの長さの範囲で、それぞれ白色で着色された着色帯７が蛇行せずに真直ぐ回転している事を視認することでポンプ用のベルトの駆動状況を点検することができる。ベルトに着色があることで、例えばベルトが弛み蛇行している場合は着色帯７が左右に蛇行して見える、ベルトが部分的に切れている場合は着色帯７が同じ幅で見えない等といった着色帯７の見え方に変化が現れることでその動作状況を把握することが可能となる。【選択図】図１
0003162582.tif 000002
【実用新案登録請求の範囲】
【請求項１】
モーターの駆動を伝えるベルト部にカバーを取り付けた構造をもつものであって、ベルトの一部がベルトの色と識別可能な色に着色されたベルトと、そのベルトの色が識別できるよう、カバーに透明な材質で覆われた覗き窓を設けたことを特徴とするベルト駆動装置。
【考案の詳細な説明】
【技術分野】
【０００１】
本考案は、カバーを取り外すことなくベルトを点検することが出来るベルト駆動装置である。
【背景技術】
【０００２】
従来、例えば外部からベルトの点検が可能となるベルト駆動装置としては、ベルトカバーに開口部を設けることで動作状況を目視できる装置（特許文献１）等が知られている。
【０００３】
【特許文献１】実開平５−４２６４７号公報
【考案の開示】
【考案が解決しようとする課題】
【０００４】
しかし、上記の方法によると通常ベルトの色は黒色であるために一見しただけでは、ベルトの蛇行や損傷等が無く、正常に駆動しているかどうかの確認が容易でなく、また、ベルトカバーの開口部に覆いがないことから作業者が誤って手を入れてしまいベルトに巻き込まれる恐れがあった。
【課題を解決するための手段】
【０００５】
本考案は上記事情を鑑みてなされたものであり、ベルトの一部を他のベルト部分と識別可能な色で着色することにより、一見しただけで蛇行や損傷等が無くベルトが正常に駆動しているかの判断ができ、かつカバーに開口部を設け、透明な材質で出来たカバーを取り付け覗き窓構造とすることで安全に点検することを可能とするベルト駆動装置である。
【考案の効果】
【０００６】
上記の手段を用いることにより、低費用で特別な装置を有さず、安全にかつ容易にベルトの駆動状況および磨耗状況の点検ができるベルト駆動装置を提供する。
【考案を実施するための最良の形態】
【０００７】
本考案で言うベルト駆動装置とは、モーター等の動力源と駆動させたいものをベルトで結び、ベルトを介して動力を伝達する装置であればどのようなものでも良く、例えばポンプ、ファン等が挙げられる。
【０００８】
例えば、ポンプにモーターの動力を伝達する場合、モーター１の動力をポンプに伝える為モーター１の先にプーリー２を取り付け、プーリー２とプーリー３を１つ、あるいは複数のベルト４で結び、プーリー３からポンプへ動力が伝わる構造となる。この高速で回転するプーリー２、３、ベルト４を安全の為、カバー５で覆う。
【０００９】
このカバー５の開口部に透明な材質で出来た覗き窓６を設ける。この覗き窓は外からベルト４の動作状況とベルトの色が識別可能なものであればどのような形状でも良く、またどのような場所に有していても良い。また、覗き窓６は一箇所でも良いし、必要に応じて複数個所有しても良い。
【００１０】
カバー５の材質はカバーとしての強度を十分保持するものであればどのようなものでも良いが、強度、安全性の面から金属製のものが好ましい。
【００１１】
覗き窓６の材質は透明なものであればどのようなものでも良いが、強度、安全性の面からプラスチック製のものが好ましい。
【００１２】
ベルト４は着色帯７を有していればどのような材質、形状、長さであっても良い。
【００１３】
着色帯７はベルトの一部がベルトの色と識別可能な色で塗り分けされ、かつ覗き窓６より動作状況が確認できるものであればどのような色、形状、大きさであっても良い。例えばベルト４の上下左右四方向、全てを一定長さで着色したものや一定幅で直線状に着色したものが挙げられる。特に動作状況を正確に把握する為にはベルト４が異常な動作をした際にその着色帯７の動き方により異常状況を容易に把握できるような着色法がより好ましい。
【図面の簡単な説明】
【００１４】
【図１】本考案のベルト駆動装置の具体的一実施例の正面図である。
【図２】本考案のベルト駆動装置の内、ベルトカバー部の具体的一実施例の側面図である
【００１５】
以下添付図に従って一実施例を説明する。本考案に係るベルト駆動装置は、例えば図１及び図２に示す通り、カバー５にベルト４の動作状況が視認可能な場所である正面、及び側面の２箇所に覗き窓６を設け、覗き窓６より、２本の黒色ベルト４の表面にはベルト幅に沿って長さ５ｃｍの範囲で、また、ベルト側面はベルト厚みに合わせて５ｃｍの長さの範囲で、それぞれ白色で着色された着色帯７が蛇行せずに真直ぐ回転している事を視認することでポンプ用のベルトの駆動状況を点検することができる。ベルトに着色があることで、例えばベルトが弛み蛇行している場合は着色帯７が左右に蛇行して見える、ベルトが部分的に切れている場合は着色帯７が同じ幅で見えない等といった着色帯７の見え方に変化が現れることでその動作状況を把握することが可能となる。
【符号の説明】
【００１６】
１                    ：モーター
２、３                ：プーリー
４                    ：ベルト
５                    ：ベルトカバー
６                    ：覗き窓
７                    ：着色帯
【図１】
0003162582.tif 000003
【図２】
0003162582.tif 000004
(57)【要約】      （修正有）【課題】エスカレーターの乗客がエスカレーターの運転時にエスカレーターのステップ側面に出来るエスカレーターのステップの座面と欄干のスカートガードとの対接面に靴や衣服などを巻き込まれることがないエスカレーターを提供する。【解決手段】エスカレーターのステップ１ａ、１ｂの側面に、エスカレーターのステップの座面と欄干４のスカートガード５との対接面を覆う防護板３を取り付ける。【選択図】図１
0003162581.tif 000002
【実用新案登録請求の範囲】
【請求項１】
運転時にエスカレーターのステップの側面に出来るエスカレーターのステップの座面とスカートガードとの対接面を覆う防護板を取り付けたエスカレーター。
【請求項２】
運転時にエスカレーターのステップの側面に出来るエスカレーターのステップの座面とスカートガードとの対接面の全体を覆う上記防護板を取り付けた請求項１のエスカレーター。
【請求項３】
運転時にエスカレーターのステップの側面に出来るエスカレーターのステップの座面とスカートガードとの対接面の一部を覆う上記防護板を取り付けた請求項１のエスカレーター。
【請求項４】
上記防護板のエスカレーターのステップへの取り付け部分の一方が、該防護板の厚みの幅よりも該防護板本体より突出した該防護板を取り付けた請求項１、２もしくは３のエスカレーター。
【考案の詳細な説明】
【技術分野】
【０００１】
本考案はエスカレーターに関し、特にエスカレーターの安全性に関する。
【背景技術】
【０００２】
エスカレーターについては、その安全性に関し、従来いろいろな配慮がなされてきた。特に、靴やサンダルなど履物をエスカレーターのステップの座面と、欄干のスカートガードとの間に巻き込まれる事故に関しては、以前より懸案となっており、注意を促す放送や特開２００４−１８２６８号に開示されているような発明等様々な対策が考えられ、また実施されている。
【先行技術文献】
【特許文献】
【０００３】
【特許文献１】特開２００４−１８２６８号  公報
【考案の概要】
【考案が解決しようとする課題】
【０００４】
しかしながら、上記の問題に関しては未だに、抜本的な解決策が採られていないのが現状である。本考案の課題は、上記の事故を未然に防ぐエスカレーターを提供することにある。
【課題を解決するための手段】
【０００５】
本考案のエスカレーターは、運転時にエスカレーターのステップの側部に出来る、エスカレーターのステップの座面とスカートガードとの対接面をエスカレーターのステップに取り付けた防護板によって覆う事を特徴とする。
【考案の効果】
【０００６】
上記の様な防護板を取り付ける事に因り、乗客は直接エスカレーターの欄干のスカートガードと接する事が無くなり、履物や衣類をステップの座面とスカートガードの間に巻き込まれる事故が無くなる。
【図面の簡単な説明】
【０００７】
【図１】本考案の一実施例のエスカレーターの側面図。
【図２】本考案の一実施例のエスカレーターの上面図。
【考案を実施するための形態】
【０００８】
エスカレーターの運転時に前段のステップの縁となる部分の両側面から、後段のステップの縁となる部分の両側面に向けて、前記前段のステップと前記後段のステップとの座面の段差の側面に出来る欄干のスカートガードとの対接面を覆う防護板を、ビス等を用いて回動可能に取り付ける。
前記防護板の一方の取り付け部分は、次の段の前記防護板の取り付け部分と重ならないように、前記防護板の厚さ以上の幅分、前記防護板本体から突出している。
【実施例】
【０００９】
以下、添付図面に沿って、本考案の一実施例を説明する。
図１は本考案の一実施例のエスカレーターの側面図である。
エスカレーターの前段のステップ１ａの縁の側面と、後段のステップ１ｂの縁の側面に、ビス２を用いて、ステンレス製の防護板３が回動可能に取り付けられている。
【００１０】
防護板３はエスカレーターの運転時に前後のステップ間の座面の段差の側面に出来る略三角形の欄干４のスカートガード５との対接面を覆い得る大きさに選定されている。
なお、本実施例では防護板３の素材にステンレスを用いているが、防護板３の素材は金属、プラスチック等、何であっても構わない。また、本実施例では防護板３の取り付けにビス２を用いているが、回動可能に取り付けられれば、固定具はボルトやネジ等何を用いても構わない。
【００１１】
防護板３の後段のステップ１ｂへの取り付け部分６は、欄干４側に張り出している（図２）。その幅は、防護板３の厚みよりも大きく選定されている。
なお、本実施例では、防護板３の取り付け部分６は、欄干４側に突出しているが、ステップ１ｂ側に突出していても構わない。また、防護板３の前段のステップ１ａへの取り付け部分が欄干４側、もしくは、ステップ１ａ側に突出していても構わない。
【符号の説明】
【００１２】
１ａ、１ｂ  エスカレーターのステップ
２  ビス
３  防護板
４  欄干
５  スカートガード
６  防護板のエスカレーターの後段のステップへの取り付け部分
【図１】
0003162581.tif 000003
【図２】
0003162581.tif 000004
(57)【要約】      （修正有）【課題】液槽から離れた場所においてもタンク内容量を容易に確認することができ、液面の水位に応じた注意喚起を行うことができる簡便な液量注意表示装置を提供する。【解決手段】最下部に浮き２と上部に指示板４を備えた細棒３をタンク本体１上部の孔に設置したガイド管５内に内挿する。また、ガイド管５の側面には指示板４が上下に移動可能な間隔のスリットがあり、ガイド管５の正面に注意表記がされている。最下部に浮き２を備えた細棒３はタンク本体１内の液面上に浮く構造となっており、タンク本体１の液面変化に合わせ、細棒３が上下することにより、その液面に応じた位置にある指示板４が示すガイド管５の正面に記載する注意表記を読み取る事により、作業者に的確な注意喚起を行うことができる。【選択図】図１
0003162584.tif 000002
【実用新案登録請求の範囲】
【請求項１】
タンクの液面を表示する装置において、最下部に浮きと上部に指示板を設けた細棒と、その細棒の周りに細棒に設けた指示板の厚みより大きなスリットを設けたガイド管と、そのガイド管に注意表記を設けることを特徴とする液量注意表示装置。
【考案の詳細な説明】
【技術分野】
【０００１】
本考案は液槽から離れた場所においても液面の水位に応じた注意喚起を行うことができる簡便な液量注意表示装置に関するものである。
【背景技術】
【０００２】
従来、例えばタンク内の液面表示機については、フロートから延設した指示板と、指示板に隣接した液面レベル表記板からなり、この指示板に設けられた指針部が液面レベル表示板を指示する方法（特許文献1）が提案されている。
【０００３】
【特許文献１】実開平４−１３３２５２号公報
【考案の開示】
【考案が解決しようとする課題】
【０００４】
しかしながら、この方法の場合、指示板と液面レベル表示板の両方の設置場所が必要となり、表示板も単に液面のレベルを表示するだけであり、注意喚起を同時に行うことに対する言及はなかった。
【０００５】
この考案が解決しようとする課題は、液槽から離れた場所においても液面の水位に応じた注意喚起を行うことが出来る簡便な液面注意表記装置を提供することである。
【課題を解決するための手段】
【０００６】
本考案は上記課題を解決するものであって、タンク内部に通じる孔を有するタンクの蓋またはタンク上部にその孔に通じるようにガイド管を設け、そのガイド管内部には浮きと細棒、指示板からなる液面表示装置が構成され、ガイド管は前述の指示板が自由に移動できる幅のスリットを有し、その表面にはタンク内の液面の水位に応じ、例えば「危険量、すぐ補充」「注意、補充を要する」「適量」「上限注意」「危険量、速やかに抜取実施」等の文字とそれぞれに対応した色分けがなされていることを特徴とする液量注意表示装置である。
【考案の効果】
【０００７】
本考案の液量注意表示装置を用いる事によって、複雑で高価な装置や設置の為のスペースを必要とせず簡便に液面の水位を確認ができ、さらにはガイド上に文字と色で表記された注意表記を視認することによって液量の確認だけでなく液の補充、抜取りの作業を促す等の注意喚起ができる。以下、本考案について更に詳細に説明する。
【考案を実施するための最良の形態】
【０００８】
本考案の液量注意表示装置は、タンク１内に浮き２と浮き２から植立した細棒３、細棒３の上部に指示板４を備え、タンク１内部に通じる孔を有するタンク１の蓋またはタンク１上部にその孔に通じるようにガイド管５を取付け、ガイド管５内に細棒３を内挿している。ガイド管５は指示板４が上下に移動可能な間隔のスリット６があり、そのスリット６に沿ってガイド管５上に注意表記７がされている。
【０００９】
指示板４は注意表記管上の任意の位置を示すものであればどのようなものでも良いが、指示板４の先には注意表記７の注意表記を明確に現示できるよう、矢印様のものを取付けることが好ましい。
【００１０】
注意表記７は一見して現在の液面がどのような状況にあるかの文字を付記したもので構成される。これらは液面の状況に合わせ、赤、青、黄色等の色で表記することが好ましい。
【図面の簡単な説明】
【００１１】
【図１】本考案の液量注意表示装置の具体的一実施例の正面図である。
【図２】本考案の液量注意表記装置の具体的一実施例のうち、ガイド管部の拡大図である。
【図３】本考案の液量注意表記装置の具体的一実施例のうち、注意表記の表示例である。
【００１２】
以下添付図に従って、一実施例を説明する。本考案に係る液量注意表示装置は、例えば、図１に示すとおり、最下部に浮き２と上部に指示板４を備えた細棒３をタンク本体１上部の孔に設置したガイド管５内に内挿する。また、図２に示すようにガイド管の側面には指示板４が上下に移動可能な間隔のスリット６があり、ガイド管５の正面に注意表記７がされている。最下部に浮き２を備えた細棒３はタンク本体１内の液面上に浮く構造となっており、タンク本体１の液面変化に合わせ、細棒３が上下することにより、図３に示すようにその液面に応じた位置にある指示板４が示すガイド管５の正面に記載する注意表記７を読み取る事により、作業者に的確な注意喚起を行うことができる。
【符号の説明】
【００１３】
１            ：タンク
２            ：浮き
３            ：細棒
４            ：指示板
５            ：ガイド管
６            ：スリット
７            ：注意表記
【図１】
0003162584.tif 000003
【図２】
0003162584.tif 000004
【図３】
0003162584.tif 000005
(57)【要約】      （修正有）【課題】一般機械用おねじの有効径と工作用限界ゲ−ジとして使用するアタッチメントを提供する。【解決手段】デジタルノギス８の外側用ジョウ９、１０に特殊鋼を用いて加工した山形歯部３、４を設けた上部用１、下部用２を取り付けてデジタルノギス８を操作することによって加工せる一般機械用おねじの有効径の測定と工作用限界ゲ−ジとして使用することを特徴とする。【選択図】図１
0003162576.tif 000002
【実用新案登録請求の範囲】
【請求項１】
特殊鋼を用いて同一形状の部品２個を作成し上部用（１）と下部用（２）とし、上部用（１）と下部用（２）にメ−トルネジのめねじの各要部をＪＩＳに基づく基本山形及び基本寸法の山形歯部（３）と（４）を互いに噛み合いが出来るように個々に設け、上部用（１）にＭ４タップ（５）、下部用（２）にＭ４タップ（６）と表面にそれぞれピッチの表示部（７）を設け、デジタルノギス（８）の外側用ジョウ（９）に上部用（１）を外側用ジョウ（１０）に下部用（２）を、山形歯部（３）と（４）を正確に噛み合わせて上部用（１）をボルト（１１）、下部用（２）をボルト（１２）で固定し加工せる一般機械用おねじの有効径の測定と工作用限界ゲ−ジとして使用する為のアタッチメント。
【考案の詳細な説明】
【技術分野】
【０００１】本考案は、デジタルノギスの外側用ジョウに作成したアタッチメントを取り付けて加工せる一般機械用おねじの有効径測定と工作用限界ゲ−ジに関するものである。
【背景技術】
【０００２】従来よりおねじの有効径の測定は球形測片をもつマイクロメ−タ−か、又はねじの間に挟まる適当な直径の針金を使っての測定、又工作用限界ゲ−ジはねじ限界ゲ−ジなどを使用していた。
【考案の開示】
【考案が解決しようとする課題】
【０００３】これには次ぎのような欠点があった。
（イ）針金を用いて有効径を測定する場合ねじの斜面の中点で接触する最良直径の針金      が必要であり又手で待つマイクロメ−タ−での測定に熟練が必要である。
（ロ）球形測片を持つマイクロメ−タ−は高価であり被測定おねじの外形が大きい場合      は不向きである。
（ハ）工作用限界ゲ−ジとして各種ねじ限界ゲ−ジを揃えるには高価である。
【課題を解決するための手段】
【０００４】本考案は、加工する同一称呼寸法の一般機械用おねじの有効径測定と工作用限界ゲ−ジとしてデジタルノギスで測定する為に特殊鋼で同一形状の部品２個を作成し上部用（１）と下部用（２）としそれぞれに山形歯部（３）、（４）とＭ４タップ（５）、（６）と表面にピッチ表示部（７）を設け上部用（１）をデジタルノギス（８）の外側用ジョウ（９）に下部用（２）を外側用ジョウ（１０）にボルト（１１）、（１２）で固定して加工せる同一称呼寸法の一般機械用おねじ（１５）の有効径の測定と工作用限界ゲ−ジとしてデジタルノギス（８）で測定する為の上部用（１）、下部用（２）のアタッチメントである。
【考案の効果】
【０００５】上述の様に、本考案は針金を用いて有効径を測定する方法より測定が簡単であり、又球形測片おねじマイクロメ−タ−はおねじの外形が小さい場合に適するが大きい場合は測定が不向きであるが本考案は測定可能であり又工作用限界ゲ−ジとして通りも止まりも規格に基づき寸法差をデジタルノギスで設定するのでねじ限界ゲ−ジを揃えるよりも安価であり作業も簡単である。
【考案の実施するための最良の形態】
【０００６】市販の０セットが出来るデジタルノギス（８）の外側用ジョウ（９）に上部用（１）のアタッチメントを、又外側用ジョウ（１０）に下部用（２）のアタッチメントを取り付けて山形歯部（３）と（４）を正確に噛み合わせ、それぞれボルト（１１）、（１２）で固定し加工せる同一称呼寸法の一般機械用おねじ（１５）の有効径の測定と、工作用限界ゲ−ジとして被加工おねじの検査をする。
【実施例】
【０００７】以下本考案を添付図に従って一実施例（Ｍ＝１６、Ｐ＝２）に就いて説明する。【０００８】図３は以下の手順を示す図でテジタルノギス（８）の外側用ジョウ（９）に上部用（１）外側用ジョウ（１０）に下部用（２）を取り付け山形歯部（３）と（４）を正確に噛み合わせそれぞれボルト（１１）、（１２）で締め付け後デジタルノギス（８）のリセットボタン（１３）を押して液晶表示部（１４）の目盛りを０にする。【０００９】図４は実際にＭ１６、Ｐ＝２のおねじの有効径を測定している図で液晶表示部（１４）に１４．７と表示されたので有効径が確認された事を示す。【００１０】図５は工作用限界ゲ−ジの通り側を示している図で液晶表示部（１４）に有効径値より下の寸法差を引いた値にリセットボタン（１３）を押し、おねじが通り側を通る事を確認した図である。【００１１】図６は工作用限界ゲ−ジの止り側を示した図で液晶表示部（１４）に有効径より下の寸法差を引いた値にリセットボタン（１３）を押しおねじが止るかを確認した図である。
【図面の簡単な説明】
【００１２】
【図１】本考案の要部を示す斜視図である。
【図２】本考案の使用状態を示す説明図である。
【図３】本考案の手順を示す図である。
【図４】本考案の有効径の測定図である。
【図５】本考案の工作用限界ゲ−ジの通り側を示す図である。
【図６】本考案の工作用限界ゲ−ジの止り側を示す図である。
【符号の説明】
【００１３】１    上部用アタッチメント
２    下部用アタッチメント
３    上部用アタッチメントの山形歯部
４    下部用アタッチメントの山形歯部
５    ピッチの表示部
６    Ｍ４タップ穴
７    Ｍ４タップ穴
８    デジタルノギス
９    外側用ジョウ（左）
１０  外側用ジョウ（右）
１１  Ｍ４ボルト
１２  Ｍ４ボルト
１３  リセットボタン
１４  液晶表示部
【図１】
0003162576.tif 000003
【図２】
0003162576.tif 000004
【図３】
0003162576.tif 000005
【図４】
0003162576.tif 000006
【図５】
0003162576.tif 000007
【図６】
0003162576.tif 000008
(57)【要約】【課題】  耐震性、高気密・高断熱とともに通気性、遮音性をも備えた木造家屋の提供。【解決手段】  建物の軸組を構成する柱２や梁３、土台４を有する木造家屋に於いて、すべての壁面を落とし板壁構法として厚さ６ｃｍの厚板材１を複数連接して壁面を形成し、床および天井のほとんどに、該壁面ほどの厚みを有する厚板材１を敷き詰めて組み付け固定して床面又は天井面を形成し、且つ、これらの該厚板材１を室内に表す構造にして成すことを特徴としたことで、該木造家屋の建物全体が堅牢な造りとなり、耐震性、高気密・高断熱とともに通気性、遮音性をも備えた木造家屋とした。【選択図】図１
0003162572.tif 000002
【実用新案登録請求の範囲】
【請求項１】
建物の軸組を構成する柱や梁、土台を有する木造家屋に於いて、すべての壁面を落とし板壁構法として厚さ６ｃｍの厚板材を複数連接して壁面を形成し、床および天井のほとんどに、該壁面ほどの厚みを有する厚板材を敷き詰めて組み付け固定して床面又は天井面を形成し、且つ、これらの該厚板材を室内に表す構造にして成すことを特徴とする木造家屋。
【考案の詳細な説明】
【技術分野】
【０００１】  本考案は、木造家屋の構造に関する。
【背景技術】
【０００２】  従来より、木造家屋に於いては、耐震性や高気密・高断熱性、あるいは通気性や防音性に優れた建築構造あるいは工法などの方法が数多く提案されている。
【考案の概要】
【考案が解決しようとする課題】
【０００３】  しかしながら、従来の方法では、耐震性や高気密・高断熱性、あるいは通気性や防音性のすべてに優れた木造家屋を提供しようとしたときに、たとえば特殊素材や機器・装置を必要とするなど、その提供が容易とは言い難いという問題点を有していた。【０００４】本考案は、上記従来有する問題点に鑑み、木造家屋に関し、耐震性、高気密・高断熱とともに通気性、遮音性をも備えた木造家屋を提供しようとするものである。
【課題を解決するための手段】
【０００５】  本考案の木造家屋は、建物の軸組を構成する柱２や梁３、土台４を有する木造家屋に於いて、すべての壁面を落とし板壁構法として厚さ６ｃｍの厚板材１を複数連接して壁面を形成し、床および天井のほとんどに、該壁面ほどの厚みを有する厚板材１を敷き詰めて組み付け固定して床面又は天井面を形成し、且つ、これらの該厚板材１を室内に表す構造にして成すことを特徴としたことで、該木造家屋の建物全体が堅牢な造りとなり、耐震性、高気密・高断熱とともに通気性、遮音性をも備えた木造家屋とした。
【考案の効果】
【０００６】  本考案によれば、建物の軸組を構成する柱や梁、土台とともに、厚さ６ｃｍの厚板材が家屋全体を包み込むように配置され設置される構造であることから、建物全体が堅牢な造りになることが予想でき、また、室内に表した厚板材の作用からも、本考案の木造家屋は耐震性、高気密・高断熱とともに通気性、遮音性をも備えた木造家屋であるといえる。
【図面の簡単な説明】
【０００７】
【図１】  本考案に於ける木造家屋を説明するための構造断面図である。
【考案を実施するための形態】
【０００８】  以下、本考案の実施の形態について、図面を参照して説明する。
図１に示すように、木造家屋は、建物の軸組を構成する柱２や梁３、土台４を有する木造家屋に於いて、すべての壁面を落とし板壁構法として厚さ６ｃｍの厚板材１を複数連接して壁面を形成し、床および天井のほとんどに、該壁面ほどの厚みを有する厚板材１を敷き詰めて組み付け固定して床面又は天井面を形成し、且つ、これらの該厚板材１を室内に表す構造にして成すことを特徴としたことで、該木造家屋の建物全体が堅牢な造りとなり、耐震性、高気密・高断熱とともに通気性、遮音性をも備えた木造家屋とした。
【符号の説明】
【０００９】    １    厚板材
２    柱
３    梁
４    土台
５    屋根垂木
６    屋根板
【図１】
0003162572.tif 000003
(57)【要約】      （修正有）【課題】履物を履いて歩行運動をすることにより両足のふくらはぎ筋肉の伸縮が促され、自然にストレッチ効果が期待できる履物を提供する。【解決手段】足乗位置の面をかかと位置から爪先位置に向かって上がり勾配１０度を設け、またかかとの位置を安定させるためのかかと位置ホルダーを設けます。この２つの要素によって歩行運動をすることにより、ふくらはぎ筋肉を伸縮運動させることができます。このことによりストレッチ効果が期待できる履物である。長時間労働における両足の疲れを軽減させることが期待できる。【選択図】図１
0003162575.tif 000002
【実用新案登録請求の範囲】
【請求項１】
履物本体の足乗位置の面をかかとの位置から爪先側に向かって上り勾配１０度を設け、またかかと位置の後縁部にかかとの位置を安定させるためのかかと位置ホルダーを設けたことにより、歩行運動時にふくらはぎ筋肉の伸縮が促されストレッチ効果が期待されるストレッチ機能付履物。
【考案の詳細な説明】
【技術分野】
【０００１】  本考案の履物を履いて歩行運動をすることにより、ストレッチ効果が期待できる履物に関するものである。
【背景技術】
【０００２】  従来から上履きを履いて長時間労働することにより、両足への疲れは相当なものになります。本考案の履物はこのような疲れを軽減させようとするものであります。
【先行技術文献】
【特許文献】
【０００３】
【特許文献１】  特開２００３−３８２０１
【考案の概要】
【０００４】  本考案の履物は、足乗部の形状を爪先上がりの勾配を設け、またかかとの後部位置に履いたときかかとの位置を安定させるためのかかと位置ホルダーを設けます。このような履物を履いて歩行運動をすることにより両足のふくらはぎ筋肉の伸縮が促され、自然にストレッチ効果が期待できる履物である。
【考案が解決しようとする課題】
【０００５】  従来から上履きを履いて長時間労働に従事する人たちにとって両足の負担や疲れは相当なものになります。時にはむくみなどを生じさせることがあります。こうした課題を少しでも軽減させることが期待できる履物として考案されたものである。
【課題を解決するための手段】
【０００６】  本考案の履物は、足乗部の面をかかと部から爪先部に向かって上がり勾配を設けてあります。この勾配の上がり角度は１０度になっています。また、かかとの後縁部には高さ１．５ｃｍ幅１ｃｍからなるＵ字型のかかと位置ホルダーを設けます。また、履物の爪先部の下底部は斜めに切れ上がり勾配を設けます。これは歩行時のつまづきを防止するための工夫です。このような履物で歩行運動をすることによって、自然に両足の筋肉とふくらはぎ筋肉の伸縮運度が促されよってストレッチ効果が期待できる履物である。
【考案の効果】
【０００７】  本考案はかかとの位置を安定させ爪先上がり勾配の上に足を乗せて歩行運動をすることにより、足裏筋肉とふくらはぎ筋肉を自然に伸縮運動させることができ、ストレッチ効果が期待できる。このことにより、長時間労働による両足の疲れを軽減させることができる履物である。
【図面の簡単な説明】
【０００８】
【図１】本考案のストレッチ機能付履物の実施例を示す側面図である。
【図２】本考案の実施例を示す１足の平面図である。
【考案を実施するための形態】
【０００９】  本考案の履物は、足乗部の形状をかかと部から爪先部に向かって上がり勾配１０度を設け、かかとの後縁部には足乗部から高さ１．５ｃｍ幅１ｃｍのＵ字型のかかと位置ホルダーを設けます。このような形状の履物を履いて歩行運動をすることにより、両足ふくらはぎ筋肉をより伸縮させることができストレッチ効果が期待できる。
【実施例】
【００１０】  以下、添付図面にしたがって一実施例を説明する。本体は耐久性のウレタンゴム等適宣素材にて一体化形成された履物本体、１は履物の足乗部、またかかと部の位置から爪先部まで上がり勾配１０度になっている。２はかかと部の縁には足乗位置から高さ１．５ｃｍ幅１ｃｍのＵ字型のかかと位置を安定させるためのかかとホルダーを設けます。３は爪先部の下側で、歩く方向に対して切れ上がり形状になっています。これはつまづきを防止するための工夫です。４は履物本体上部に設けた足をカバーするための足カバー部です。
【符号の説明】
【００１１】１．履物本体。
２．履物本体。足乗部の爪先上がり形状
３．履物本体。かかと位置安定のホルダー
４．履物本体。先頭部下側の切れ上がり
５．履物本体。足カバー部
【図１】
0003162575.tif 000003
【図２】
0003162575.tif 000004
(57)【要約】      （修正有）【課題】大中小３つの異なるクッションで、それらを組み合わせ、各個人に合わせて使用し、体位・姿勢を正しく保つクッションを提供する。【解決手段】密閉した凹型状の袋体に、極小発泡ビーズを充填したクッションで、更に、袋体の両端に引掛け部を取り付けたので、クッションを使用する人の体型にフィットしやすい凹型のクッションである。更にクッションを使用する様々な体型の方や姿勢の変化に対応しやすいように、袋の両端にひもが通るフックをつけ、クッションのずれ落ち防止が出来るようになった。加えて、極小発砲ビーズを中身に使用したフック付凹型の大中小３タイプのクッションを使用することで、使用者も心地よく正しい姿勢を保つことが可能になった。更に、介護を行う方もフックにひも等を通して固定することによりずれ落ち防止が出来、労働的負担を軽減することが出来た。【選択図】図１
0003162573.tif 000002
【実用新案登録請求の範囲】
【請求項１】
密閉した凹型状の袋体に、極小発泡ビーズを充填してなることを特徴とするクッション。
【請求項２】
上記袋体の両端に引掛け部を取り付けたことを特徴とする請求項１に記載のクッション。
【考案の詳細な説明】
【技術分野】
【０００１】  本考案は、極小発砲ビーズを中身に使用した凹型のクッションで、ひもが通せるフックを両サイドにつけた大中小３つの異なるクッションで、それを組み合わせて使用し体位・姿勢を正しく保つクッションに関するものである。
【背景技術】
【０００２】  体位・姿勢を保つことが困難な介護を必要とされている方々にとってそれを補助するクッションは現在、大きさ、形が決まってしまっており各個人に合わせることが難しい。
【先行技術文献】
【特許文献】
【０００３】
【特許文献１】実用新案登録第３１０６６６７号
【考案の概要】
【０００４】
【考案が解決しようとする課題】
【０００５】  市販の介護用クッションは、介護を必要とされる方々の体型も姿勢の変化も様々であり、体位・姿勢を正しく保つためには各個人専用にクッションを作成することになり経済的負担も大きく、介護を行う方々も目を離しづらく労働的負担も大きい不具合がある。
【課題を解決するための手段】
【０００６】  本考案は、密閉した凹型状の袋体に、極小発泡ビーズを充填してなることを特徴とするクッションで、更に、袋体の両端に引掛け部を取り付けた。
【考案の効果】
【０００７】  上記構成とした本考案に係るクッションは、袋の中に極小発砲ビーズを使用したので、クッションを使用する人の体型にフィットしやすい凹型のクッションである。更にクッションを使用する様々な体型の方や姿勢の変化に対応しやすいように、袋の両端にひもが通るフックをつけ、クッションのずれ落ち防止が出来るようになった。加えて、極小発砲ビーズを中身に使用したフック付凹型の大中小３タイプのクッションを使用することで、使用者も心地よく正しい姿勢を保つことが可能になった。更に、介護を行う方もフックにひも等を通して固定することによりずれ落ち防止が出来、労働的負担を軽減することが出来た。
【図面の簡単な説明】
【０００８】
【図１】本考案に係るクッションの一実施例を示す平面図である。
【考案を実施するための形態】
【０００９】  本考案に係るクッションは、使用者の体型に合わせた馬蹄型のクッションで、３タイプそれぞれの厚み・長さを変えて、組み合わせをしやすい形状になっており、色も識別しやすい原色の緑・青・オレンジを採用している。フック部分も指などに掛かりにくいように幅をもたせてしっかりと縫い合わせてある。
【実施例】
【００１０】  図１を参照して以下説明する。図１に図示するごとく本実施例のクッションは、袋１の中に、極小発泡ビーズ２を充填し、かつ、袋１の両端にそれぞれ引掛け３を取り付けたクッションである。本実施例での極小発泡ビーズ２の粒径は、約０．８ｍｍから１．２ｍｍを用いた。
【産業上の利用可能性】
【００１１】  本考案に係るクッションは、介護用のみならず、健常者がキャンプや安眠用クッションとして用いることも出来る。
【符号の説明】
【００１２】  １・・・袋
２・・・極小発泡ビーズ
３・・・引掛け
【図１】
0003162573.tif 000003
(57)【要約】      （修正有）【課題】使用中のバッグが必要に応じて、内側に折り込んでいる部分が広がり、収容量を増やすことができ、かつファッション性を損なわない折りたたみバッグを提供する。【解決手段】布地等やナイロン加工生地等からなる上部を開口した袋状のバッグ本体において、バッグ本体１を底面から開口部に向かって、裏返しをするように、内側に折り込み、底面が開口部付近まできたら、底面の両端に付いているボタン３を、開口部の両側面に設けたボタンホールで留め、日常使用する時は、内側の山折りになった部分２が、バッグの中仕切りの役目になることを特徴として折りたたみバッグを構成する。【選択図】図１
0003162571.tif 000002
【実用新案登録請求の範囲】
【請求項１】
布地等やナイロン加工生地等からなる上部を開口した袋状のバッグ本体において、バッグ本体を底面から開口部に向かって、裏返しをするように、内側に折り込み、底面が開口部付近まできたら、底面の両端に付いているボタンを、開口部の両側面に設けたボタンホールで留め、内側の山折りになった部分が、バッグの中仕切りの役目になり、必要に応じて内側に折り込んだ部分を広げ、収容量が増やすことができることを特徴とした折りたたみバッグである。
【考案の詳細な説明】
【技術分野】
【０００１】  本考案は、使用中のバッグが、必要に応じて内側に折り込んでいる部分を広げ、収容量を増やすことができ、かつファッション性を損なわない、折りたたみバッグに関するものである。
【背景技術】
【０００２】  従来、小さく折りたたむ携帯用バッグやエコバッグは、バッグ等の中に入れるか、バッグの取っ手などに装着し、持ち歩いている。
【考案の概要】
【考案が解決しようとする課題】
【０００３】  従来、次のような問題点があった。
（イ）小さくコンパクトにたたむことに手間がかかる。また、付属の袋がある場合、小さく綺麗にたたみ、付属の袋にしまうことに手間がかかる。
（ロ）持参することを忘れたり、携帯していたことを忘れたりすることがある。
（ハ）紛失の可能性がある。
本考案は、以上の問題点を解決しようとするものである。
【課題を解決するための手段】
【０００４】  布地等やナイロン加工生地等からなる上部を開口した袋状のバッグ本体において、バッグ本体を底面から開口部に向かって、裏返しをするように、内側に折り込み、底面が開口部付近まできたら、底面の両端に付いているボタンを、開口部の両側面に設けたボタンホールで留め、内側の山折りになった部分が、バッグの中仕切りの役目になることを特徴とした折りたたみバッグである。
【考案の効果】
【０００５】  バッグを内側へ折り込むことで、従来の大きさの約半分になり、内側に山折りになった部分が、バッグの中仕切りの役目になり、物を小分けに入れることができ、山折りの部分と本体部分とをボタンで留めていることから、取外しが容易で、すぐに広げることができる。また山折りになり中仕切りになった部分にもポケットを付けることで、小物を収納することができ、折りたたんだ状態で、日常使用するバッグとなる。日常的に使用するバッグが容易に広がり、収納量が多くなることで、携帯用バッグ等を持参する必要がなくなる。
【考案を実施するための形態】
以下、本考案の実態の業態を説明する。
（イ）布地等からなる上部を開口部とした袋状のバッグ本体（１）の約半分から下の部分（２）を内側に折り込む。
（ロ）半分から下の部分（２）の底面の両端にボタン（３）を付け、バッグ本体（１）の開口部付近の両側面に設けたボタンホール（４）で留める。
（ハ）内側に折り込んでできた中仕切りにジッパー付きのポケット（５）を付ける。
（二）折りたたんだ時のバッグの形状を保つために、折りたたんだ状態の両側面の底辺から、底面になる布地（６ａ）を付け、底に蓋をするようにスナップボタンもしくはファスナー（７）で留め、底面（６ｂ）を作る。
【図面の簡単な説明】
【０００７】
【図１】本考案の斜視図
【図２】本考案の広げた平面図
【図３】本考案の折り込んだときの斜視図
【図４】本考案の折り込んだときの斜視図
【図５】本考案の内側に折り込んでできた中仕切りの正面図
【図６】本考案の上からの正面図
【符号の説明】
【０００８】  １  バッグ本体
２  内側に折り込まれ、中仕切りになる部分
３  ボタン
４  ボタンホール
５  ポケット
６ａ  折りたたんだ時の底面になる布地
６ｂ  折りたたんだ時の底面
７  スナップボタンもしくはファスナー
８  持ち手
【図１】
0003162571.tif 000003
【図２】
0003162571.tif 000004
【図３】
0003162571.tif 000005
【図４】
0003162571.tif 000006
【図５】
0003162571.tif 000007
【図６】
0003162571.tif 000008
(57)【要約】      （修正有）【課題】就寝中に寝相が悪くても上掛け布団や敷布から捲れたり、ずり落ちることなく留め置ける新規の係留機能を有する毛布を提供する。【解決手段】長手方向両端に平行なファスナーを取り付けた毛布を係留希望とする敷布、布団カバー側にも毛布に接続対応するファスナーを取り付け必要な都度接続して寝具を係留する。【選択図】図２
0003162579.tif 000002
【実用新案登録請求の範囲】
【請求項１】
長手方向両端にファスナー２を平行に２本備えた毛布１にこのファスナーに接続対応できるファスナー３を対象目的とする敷布６や包布５に取り付け毛布と対象目的とを必要な都度係留できることを特徴とするファスナー付き毛布。
【考案の詳細な説明】
【技術分野】
【０００１】寝具に使用する毛布の脱落防止に関する。
【背景技術】
【０００２】冬の時期或いは寒冷地に於いて就寝中毛布を撥ねてしまうことはよくある。
病気の有無、体質、体調、環境の状態で個人差はあるが毛布を撥ねたり、就寝中に体温が上がって寝汗を掻き、その結果無意識に毛布を撥ねて風邪をひき体調を崩す経験は誰にでもある。
特に子供の場合は跳ね除けた毛布がそのまま放置された結果、軽い風邪から肺炎等の重大な危機に直面する場合が有る。
【考案の開示】
【考案が解決しようとする課題】
【０００３】就寝中に寝相が悪くても上掛け布団や敷布から捲れたり、ずり落ちることなく留め置ける新規の係留機能を有する毛布を提供する。
【課題を解決するための手段】
【０００４】毛布１の長手方向両端に沿ってファスナー２の雄側、雌側をそれぞれを平行に取り付け、留め置きたい対象とする布団カバー５或いは敷布６にこのファスナーに対応して接続できる雄と雌のファスナー３をそれぞれの両端に平行に取り付ける。
一般的な寝具は下から敷き布団、敷布、毛布、布団カバー、掛け布団の順に寝具を重ねる。
この重ね状態から例えば毛布と布団カバーを係留する場合、毛布の右側に取り付けたファスナーに接合可能なファスナーを布団カバーの右側に取り付けお互いを係留する。  同様な手順で左側のファスナーも接続する。
各々の平行な２本のファスナーが接続されることで毛布と布団カバーは筒形の形状を成して両端が接続される。
就寝中毛布がずり落ちたり、上掛け布団が跳ね除けられることは無い。
勿論このファスナーでの接続方法は敷布と毛布間又は寝具間全てに援用することが可能である。
【考案の効果】
【０００５】就寝中に寝相がわるく布団を跳ね除ける様な動作があった場合、毛布と布団カバー、敷布は各々ファスナーに依ってお互いに接続されているので夫々の寝具がばらばらに成ったり一方に偏ったり１箇所に固まったりすること無く、ファスナーを介して寝具は常に正しく元の状態に面合わせされている。
子供や寝相の悪い人もファスナーを介して筒状態に成った寝具の中で寝るので寝具を撥ねて翌朝風邪をひく等ということもない。
【考案を実施するための最良の形態】
【０００６】本考案のファスナー付きの毛布を上掛け布団を包んだ布団カバーとの間に使用する場合、まず毛布１の長手方向両端に平行に並べて備えた雄又は雌のファスナー２に接続対応できるファスナー３を上掛け布団のカバーに同じく平行に取り付ける。  毛布に備えたファスナー２と上掛け布団カバーに取り付けたファスナー３を互いに平行に接続する。
毛布１と上掛け布団カバー５は長手方向両端が接続され人の入れる筒形状となる。
就寝中無意識に寝返りをうったり布団を足で跳ね除ける動作は布団内の温度上昇を換気する意味合いも有るので毛布に備えるファスナー１の長さを短く設定し足元の方までファスナーに依る接続をしない或いは胸元迄ファスナー接続をしない等の選択設定で足元や胸元の開放感が得られる。
従って寝袋のような閉塞感が無い。
【実施例】
【０００７】本考案の係留部品は不使用時にも部品を取り除く必要は無くファスナー２と係留対象となる上掛け布団、敷布に取り付けたファスナ３を接続しなければ通常の使用にも支障は無い。
寒い時期明け方まで寝具を跳ねて翌朝風邪をひくこともない。
勿論夏用のタオル掛けにも有効である。
【産業上の利用可能性】
【０００８】本考案部品は簡単な作業で包布や毛布に取り付けることが出来る。
更に後付け加工が出来るので既に使用中の寝具に取り付けることも可能である。
樹脂ファスナーを使用すれば人体への冷却感は無くそのまま丸洗い洗濯しても寝具への影響は無い。
【図面の簡単な説明】
【０００９】
【図１】断面の確認用上面図である
【図２】Ａ−Ａ’の断面図である
【図３】Ｂ−Ｂ’の断面図である
【図４】不使用時の毛布と敷布の展開参考図である
【符号の説明】
【００１０】１．本考案ファスナー付き毛布
２．本考案ァスナー付き毛布のオープンファスナー
３．本考案ファスナー付き毛布に接続対応するオープンファスナー
４．上掛け布団
５．上掛け布団のカバー
６．敷布
【図１】
0003162579.tif 000003
【図２】
0003162579.tif 000004
【図３】
0003162579.tif 000005
【図４】
0003162579.tif 000006